(57)【要約】      （修正有）【課題】携帯品、便利品、安全性、衛生的、簡単単純な、取り扱いの良い、シンプルなより実用品としての大根おろし製造器に関する。【解決手段】大根を手でつかみ、前後に、押しながら、こすっていた方向を、巾１０ｍｍ×長さ１１８ｍｍくらいのステンレスクロス刃により上部で、大根を下から差し込み、固定保持し、ハンドルの回転力と押さえ力により、刃に対して、大根を回転させる。おろしの作り方を、徐々に、覚えて行き、簡単で、単純な取り扱いで、安全に、大根おろしを作る機械である。また、希望の味を作る為、刃は、細、並、荒の３種類が、用意してある。大根おろしは、刃下部の穴から、底部容器にたまり、逆さにひっくり返して、皿に取り出せばよい。【選択図】図１
2006110302.tif 000002
【特許請求の範囲】
【請求項１】
大根を、ステンレスクロス刃で大根をセット固定し、下面のおろし刃の方向に、ハンドルを、押さえ方向と、回転方向に動じに力を、かけて行き、大根おろしを作る機構であり、手で大根を、つかんで、前後方向にこすっていた従来の方法を、回転、及押さえ方法に変更することにより、倍以上の速さで、製造でき、又、継続的に、軽作業により製造できることから、多量製造が、無動力で、簡単に、単純に、出来るポータブル大根おろし製造器である。
【請求項２】
全体をプラスチック等の軽比重材で作り、全体で重量約５ｋｇくらいにし、小型ポータブル製品にし、使用後は、水洗いにして、置いたまま、乾かしておくだけで、２、３日後、すぐまた使えるようなポータブル大根おろし製造器である。又、大根おろしの、作りすぎ分は、冷蔵庫に、保管できる。
【請求項３】
主婦・子供が使っても、安全に、衛生的に、簡単に、扱えるように、常に、外部から、大根おろしのできていく具合いを監視できる。尚、大根の出し入れは、前後方向で行う。大根おろしは底部取りはずし式ボトルに、貯められるようになっているポータブル大根おろし製造器である。
【請求項４】
ワンタッチ式に、刃、大根、その他を取り替えができ、継続的に、多量製造ができ、又、大根の固定は、ステンレスクロス刃だけで大根に、セット固定し、大根は太さφ５ｃｍくらいからφ１１．５ｃｍくらいまで、従軟に、す早く、セット固定ができるようなポータブル大根おろし製造器である。
【発明の詳細な説明】
【発明の詳細な説明】
【技術分野】
【０００１】  本発明では、家庭用小型ポータブルアイス・スライス（手動式）、と同じで、家庭台所での、実用品としての、必需機具となるわけである。
【背景技術】
【０００２】  大根の回転にモーターを使用したり、出来上がった、大根おろしをコンベアで取り出すなど、重量製品であって一般主婦が使用した場合、電気と水の関連、大根材料の飛び出し等の問題があり、危険であった。又、モーター式では、味を作り出すことはできなかった。【０００３】  電気的、機械的に、安全性が受け入れられ、重量的にも、取り扱いの簡単さ、単純さに、おいて、大家族、大衆食堂等の為の、無動力、軽量ポータブルの多量製造器は発売されなかった。
又、普通は、大根を、前後押しもどし式に、力を入れて、すっていたため、多量には、大根おろしは、作れなかった。
【発明ガ解決しようとする課題】
【０００４】  大根おろしを多量に製造する為に、大根をクロス刃で、固定して、ハンドルにより、大根を回転させながら、同時に、刃に対して、ハンドルより、押さえていくことにより、軽作業で、継続的に、大根おろしを製造する。又、味を作り出すことができる。
【０００５】  この時、大根に、回転力と、刃に対して、大根を押しつける力をハンドルから、機械的に、無理なく与えるようにしている。軸棒と外側受部のはめあい公差は実験に基づくデータである。
【０００６】  大根の固定・保持機構は、巾１０ｍｍ×長さ１１８ｍｍくらいのステンレス刃がクロスして、上部で、さし込んだ大根を、逆に、つかんでしまう型で、固定できるわけである。
【０００７】  大根おろしがおいしくなり、消費者の好みの味の大根おろしを作れるように、手動で、刃の回転を調整でき、又、刃は、細、並、荒の３種類を取り替えて、味を思い付きながら、作れるような実用品としてある。
【０００８】  又、大根おろしを多量に作る為には、ハンドルを押し・回す作業が、女性や、年寄り、子供でも、長時間、力が要らず、疲れず、かつ安全で、衛生的に、簡単に、単純に、全作業ができなければならない。
【課題を解決する為の手段】
【０００９】  上記目的を達成するために、本発明物件は、全体が、軽重量のプラスチックで組立てることとし、全重量は約５ｋｇ程度である。又、ハンドルは押しつける力と、回転力の両方を伝えねばならないから、プラスチック丸棒とした。
【００１０】  大根を刃に対して、押しつける力は、２次的に、利用者の体重がかかっており、人によれば、２０ｋｇ単位で、力がかかりすぎることも考えられ、容器や部品には、ガラス品は、使っていない。
【００１１】  大根に、回転方向と、押しつけ力を加え、刃に対して、すっていくことにより、大根おろしの製造速度は、前後に手でこする時の倍以上にはなる。
【００１２】  刃は、大根おろしの味の種類により、細目、並、荒目の３種類を取り替えて使う。
【００１３】  大根おろし製造器の底部取りはずし容器で、直径φ１７ｃｍ、高さ４ｃｍＨくらいとなる。
【発明を実施するための最良の形態】
【００１４】  発明の実施の形態について図面を参照して説明する。図１において、大根おろし製造器は、▲１▼、▲２▼の部分はハンドルであって、上下軸はプラスチック丸棒で、外径φ１８ｍｍくらいを使い、ウデ部と取手は、プラスチック又は板金品である。【００１５】ハンドル軸▲２▼は上下方向に、大根の長さ、（約１２ｃｍ以上）は、上下できる長さとする。【００１６】大根保持器は、１種類の仕組みで成り立っている。ステンレスクロス刃が１０ｍｍ×１１８ｍｍにクロスしており、この上部の大根湖底部に対し、大根を下から上に差し込み、大根に対し、クロス刃を１６ｍｍくい込ませることによりつかませて、しまうわけである。【００１７】大根おろしは、器械底部のプラスチック容器にたまる。
【発明の効果】
【００１８】本発明は、上述のとおり構成されているので、次に記載する効果を奏する。
【００１９】  請求項１の大根を円形回転のくり返し運動によって、大根おろしを作る方法に変えたため、大根の取付け、取りはずし、好みの刃のセットのみとなり、作業は、加工を小型のポータブル・プラスチック機械で行うわけであるから、女の子でも、簡単、単純に覚えて、多量製造への道がひらけている。
【００２０】  請求項２に、示すように、全体の大半を、作る為、小型軽量ポータブル製品化でき、仕組みを理解でき、使用後、水洗いだけで、簡単に、保管、再使用できる。
【００２１】  請求項３の様に、若い女の子も、安全、衛生的に、簡単に、単純に、仕組みをのみ込み、使い方を覚えていける小型・軽量ポータブル品である。
【００２２】  請求項４の容器から、大根おろしを取り出す方法は、単純に、逆さ向ければ、別に用意した、皿に流れる。又、衛生的で、安全性のある使用ができ、使用方法、大根おろし方法を覚えるのも、簡単、単純な楽しめる中味である。
【図面の簡単な説明】
【図１】ポータブル大根おろし製造器の正面略図
【図２】大根つかみ刃の略図
【図３】ハンドルの略図
【図４】軸受の略図
【図５】おさえ取手の略図
【図６】土台の略図
【図７】おろし刃の略図
【図８】おろし容器
【符号の説明】
▲１▼ハンドル
▲２▼回転上下軸
▲３▼軸受仕組み
▲４▼大根つかみ容器
▲５▼おろし刃
▲６▼底部プラスチック側
▲７▼おろし容器
【図１】
2006110302.tif 000003
【図２】
2006110302.tif 000004
【図３】
2006110302.tif 000005
【図４】
2006110302.tif 000006
【図５】
2006110302.tif 000007
【図６】
2006110302.tif 000008
【図７】
2006110302.tif 000009
【図８】
2006110302.tif 000010